(57)【要約】【課題】本発明は、簡易な構成でありながら、非接触による着脱ユニットの識別を行うことが可能な電子機器を提供することを目的とする。【解決手段】本発明に係る電子機器１０は、本体に装着された着脱ユニットＢＡＴを用いて所定の動作を行うものであって、着脱ユニットＢＡＴを本体に装着するときに、着脱ユニットＢＡＴの少なくとも一の部位に対向するように設けられた少なくとも一の磁気センサ１６と；磁気センサ１６での検出結果に基づいて着脱ユニットＢＡＴの識別を行う識別部１７と；識別部１７での識別結果に基づいて着脱ユニットＢＡＴの動作制御や機器全体の動作制御を行う制御部１８と；を有して成る構成とされている。【選択図】図１
2010062969.tif 000002
【特許請求の範囲】
【請求項１】
本体に装着された着脱ユニットを用いて所定の動作を行う電子機器であって、
前記着脱ユニットを前記本体に装着するときに、前記着脱ユニットの少なくとも一の部位に対向するように設けられた少なくとも一の磁気センサと；
前記磁気センサでの検出結果に基づいて前記着脱ユニットの識別を行う識別部と；
前記識別部での識別結果に基づいて前記着脱ユニットの動作制御や機器全体の動作制御を行う制御部と；
を有して成ることを特徴とする電子機器。
【請求項２】
前記磁気センサは、両極検出タイプ、極性判別タイプ、単極検出タイプ、及び、交番検出タイプのいずれかであることを特徴とする請求項１に記載の電子機器。
【請求項３】
前記識別部は、磁界が検出された前記磁気センサの位置や個数、或いは、検出された磁界の極性、若しくは、これらの組合わせに基づいて、前記着脱ユニットの識別を行うことを特徴とする請求項１または請求項２に記載の電子機器。
【請求項４】
前記制御部は、前記識別部において前記着脱ユニットが純正品でないと識別されたときに、前記着脱ユニットの動作を禁止する、或いは、機器全体の動作を禁止することを特徴とする請求項１〜請求項３のいずれかに記載の電子機器。
【請求項５】
前記電子機器は、前記識別部において前記着脱ユニットが純正品でないと識別されたときに、その旨をユーザに報知する報知部を有して成ることを特徴とする請求項１〜請求項４のいずれかに記載の電子機器。
【請求項６】
請求項１〜請求項５のいずれかに記載の電子機器に着脱される着脱ユニットであって、
前記電子機器の本体に装着するときに、前記磁気センサと対向する位置に磁石を有して成ることを特徴とする着脱ユニット。
【請求項７】
前記磁石は、前記着脱ユニットの表面に埋設されて成ることを特徴とする請求項６に記載の着脱ユニット。
【発明の詳細な説明】
【技術分野】
【０００１】
本発明は、本体に装着された着脱ユニットを用いて所定の動作を行う電子機器（バッテリユニットを電源として撮像動作を行うデジタルカメラや、インクカートリッジをインク供給源として印刷動作を行うインクジェットプリンタなど）に関するものであり、特に、着脱ユニットの識別技術に関するものである。
【背景技術】
【０００２】
従来より、デジタルカメラのバッテリユニットや、インクジェットプリンタのインクカートリッジなど、電子機器の本体に装着されて用いられる着脱ユニットの形状や仕様は、メーカ毎ないしは機種毎に予め決められており、故障やトラブルを未然に回避するという観点から、メーカは、純正品（自社製品）の使用をユーザに推奨している。
【０００３】
特に、従来の電子機器には、着脱ユニット毎に搭載された管理用ＩＣとの通信により、着脱ユニットの識別を行う機種も存在する。
【０００４】
なお、上記に関連する従来技術の一例として、特許文献１には、交換可能な電池ユニットと、この電池ユニットに設けられ、当該電池ユニットの製品を識別する上で必要な特定の情報を記憶した情報通信チップと、前記電池ユニットが所定の装着場所に装着された状態で、前記情報通信チップから前記特定の情報を読み込む情報読込み手段と、この情報読込み手段によって読み込まれた前記特定の情報に基づいて前記電池ユニットの使用可否を判断し、その判断結果に応じて前記電池ユニットの使用を制御する制御手段と、を具備したことを特徴とする電子機器が開示・提案されている。
【特許文献１】特開２００５−２８５５６７号公報
【発明の開示】
【発明が解決しようとする課題】
【０００５】
確かに、上記従来の電子機器であれば、不適切な着脱ユニットの使用を禁止して、故障やトラブルの発生を防止することが可能である。
【０００６】
しかしながら、上記従来の電子機器において、着脱ユニット毎に搭載される管理用ＩＣは、必ずしも安価なものではなく、着脱ユニットのコストアップ要因となっていた。
【０００７】
また、上記従来の電子機器では、機器本体と管理用ＩＣの双方に電気的な接点を露出させておく必要があるため、摩耗や結露などによって両者の通信が不安定となり、着脱ユニットの識別精度が低下するおそれがあるほか、非純正品の着脱ユニットを製造する第三者にとっては、着脱ユニットに搭載された管理用ＩＣが純正品の認証システムに利用されていることを看破し、その回避策を講じることが容易となっていた。
【０００８】
なお、無線ＩＣタグを用いて、非接触による着脱ユニットの識別を行うことも可能であるが、上記の管理用ＩＣを用いた場合と同様、コスト面で不利であり、特に、交換部品や消耗部品の識別手段として、無線ＩＣタグを個別に搭載することは非現実的であった。
【０００９】
本発明は、上記の問題点に鑑み、簡易な構成でありながら、非接触による着脱ユニットの識別を行うことが可能な電子機器を提供することを目的とする。
【課題を解決するための手段】
【００１０】
上記目的を達成するために、本発明に係る電子機器は、本体に装着された着脱ユニットを用いて所定の動作を行う電子機器であって、前記着脱ユニットを前記本体に装着するとき（装着完了時または装着作業中）に、前記着脱ユニットの少なくとも一の部位に対向するように設けられた少なくとも一の磁気センサと；前記磁気センサでの検出結果に基づいて前記着脱ユニットの識別を行う識別部と；前記識別部での識別結果に基づいて前記着脱ユニットの動作制御や機器全体の動作制御を行う制御部と；を有して成る構成（第１の構成）とされている。
【００１１】
なお、上記第１の構成から成る電子機器にて、前記磁気センサは、両極検出タイプ、極性判別タイプ、単極検出タイプ、及び、交番検出タイプのいずれかである構成（第２の構成）にするとよい。
【００１２】
また、上記第１または第２の構成から成る電子機器にて、前記識別部は、磁界が検出された前記磁気センサの位置や個数、或いは、検出された磁界の極性、若しくは、これらの組合わせに基づいて、前記着脱ユニットの識別を行う構成（第３の構成）にするとよい。
【００１３】
また、上記第１〜第３いずれかの構成から成る電子機器において、前記制御部は、前記識別部で前記着脱ユニットが純正品でないと識別されたときに、前記着脱ユニットの動作を禁止する、或いは、機器全体の動作を禁止する構成（第４の構成）にするとよい。
【００１４】
また、上記第１〜第４いずれかの構成から成る電子機器は、前記識別部において前記着脱ユニットが純正品でないと識別されたときに、その旨をユーザに報知する報知部を有して成る構成（第５の構成）にするとよい。
【００１５】
また、本発明に係る着脱ユニットは、上記第１〜第５いずれかの構成から成る電子機器に着脱されるものであって、前記電子機器の本体に装着するとき（装着完了時または装着作業中）に、前記磁気センサと対向する位置に磁石を有して成る構成（第６の構成）とされている。
【００１６】
なお、上記第６の構成から成る着脱ユニットにおいて、前記磁石は、前記着脱ユニットの表面に埋設されて成る構成（第７の構成）にするとよい。
【発明の効果】
【００１７】
本発明によれば、簡易な構成でありながら、非接触による着脱ユニットの識別を行うことが可能な電子機器を提供することが可能となる。
【発明を実施するための最良の形態】
【００１８】
図１は、本発明に係るデジタルカメラの一実施形態を示すブロック図である。本実施形態のデジタルカメラ１０は、本体に装着されたバッテリユニットＢＡＴを電源として撮像動作を行う電子機器であって、撮像部１１と、記憶部１２と、操作部１３と、表示部１４と、電源部１５と、磁気センサ１６と、識別部１７と、制御部１８と、を有して成る。
【００１９】
バッテリユニットＢＡＴは、図２（バッテリユニットＢＡＴが着脱される様子を示した模式図）に示すように、デジタルカメラ１０の本体に着脱可能な二次電池（リチウムイオン電池やニッケル水素電池など）であって、デジタルカメラ１０の本体に装着されたときに、磁気センサ１６と対向する位置に磁石ＭＧを有して成る。なお、磁石ＭＧは、１つのバッテリユニットＢＡＴに複数設けても構わない。
【００２０】
また、磁石ＭＧとしては、永久磁石のほか、電磁石を用いることもできる。特に、磁石ＭＧとして電磁石を用いる場合には、バッテリユニットＢＡＴをデジタルカメラ１０の本体に装着してから所定の期間（磁気センサ１６での磁界検出に必要な期間）だけ、電磁石の形成（コイルへの通電）を行うようにすればよい。また、磁界の極性を時間経過と共に順次切り替えていくように、コイルへの通電方向を適宜制御しても構わない。
【００２１】
また、磁石ＭＧは、図３（磁石ＭＧと磁気センサ１６との位置関係を示す模式図）に示すように、バッテリユニットＢＡＴの表面に埋設し、第三者の目に触れにくいように、その表面をシールで被覆するか、或いは、樹脂封止することが望ましい。このような構成とすることにより、非純正品のバッテリユニットを製造する第三者にとっては、純正品のバッテリユニットＢＡＴに磁石ＭＧが埋設されており、これが純正品の認証システムに利用されていることを看破しにくくなるので、その回避策を講じることが容易ではなくなる。
【００２２】
図１に戻り、デジタルカメラ１０本体の構成要素について、詳細な説明を続ける。撮像部１１は、レンズ群や光電変換素子（ＣＣＤ［Charge Coupled Devices］或いはＣＭＯＳ［Complementary Metal Oxide Semiconductor］などのイメージセンサ）を備えて成り、被写体の光学像を電気的な撮像信号として出力する手段である。
【００２３】
記憶部１２は、撮像部１１で得られた撮像信号を画像データとして不揮発的に格納する手段であり、フラッシュメモリやハードディスクドライブなどの大容量記憶装置デバイスを用いることができる。
【００２４】
操作部１３は、ユーザ操作を受け付ける手段であり、電源ボタン、レリーズボタン、ズームボタン、動作モード切替ボタン、カーソルキー、タッチパネルなどを備えて成る。
【００２５】
表示部１４は、撮像部１１で生成された撮像信号や、記憶部１２から読み出された撮像信号、或いは、デジタルカメラ１０の動作設定や動作状態などに関する種々の情報を表示する手段であり、液晶ディスプレイや有機ＥＬディスプレイを備えて成る。
【００２６】
電源部１５は、デジタルカメラ１０の本体に装着されたバッテリユニットＢＡＴから電力供給を受けて動作し、デジタルカメラ１０の各部へ駆動電圧を供給する手段であって、シリーズレギュレータやスイッチングレギュレータ、チャージポンプなどを備えて成る。
【００２７】
磁気センサ１６は、先出の図３に示すように、バッテリユニットＢＡＴがデジタルカメラ１０の本体に装着されたときに、バッテリユニットＢＡＴの少なくとも一の部位（磁石ＭＧの埋設部位）に対向するように設けられた磁気検出手段であり、ホール素子を備えたホールセンサや磁気抵抗素子を備えたＭＲセンサなどを用いることができる。
【００２８】
識別部１７は、磁気センサ１６での検出結果に基づいてバッテリユニットＢＡＴの識別を行う手段である。
【００２９】
制御部１８は、識別部１７での識別結果に基づいてバッテリユニットＢＡＴの動作制御や機器全体の動作制御を行う手段であり、マイコンなどを有して成る。
【００３０】
なお、図１では、識別部１７と制御部１８を独立の回路ブロックとして描写したが、本発明の構成はこれに限定されるものではなく、制御部１８にバッテリユニットＢＡＴの識別機能を組み込んでもよい。その際、バッテリユニットＢＡＴの識別機能については、ハードウェアで実現してもよいし、ソフトウェアで実現してもよい。
【００３１】
上記構成から成るデジタルカメラ１０の本体にバッテリユニットＢＡＴが装着されて、バッテリユニットＢＡＴから電源部１５への電力供給が行われ、電源部１５からデジタルカメラ１０の各部へ駆動電圧が供給されると、識別部１７は、磁気センサ１６での検出結果に基づいて、バッテリユニットＢＡＴの識別を行う。
【００３２】
このとき、磁気センサ１６で何ら磁界が検出されなければ、識別部１７は、デジタルカメラ１０に現在装着されているバッテリユニットＢＡＴが純正品でないと識別し、その旨を制御部１８に伝達する。
【００３３】
制御部１８は、識別部１７からの上記伝達を受けて、デジタルカメラ１０に現在装着されているバッテリユニットＢＡＴが純正品でないと認識し、所定の対抗措置を発動する。なお、上記の対抗措置としては、デジタルカメラ１０全体の動作を禁止（非常停止）してもよいし、バッテリユニットＢＡＴが純正品でない旨をユーザに報知すべく、表示部１４に所定の警告表示を行ってもよい。或いは、電源部１５にバッテリユニットＢＡＴの充電機能が具備されている場合には、バッテリユニットＢＡＴの充電処理を禁止してもよい。このような対抗措置を発動することにより、純正品でないバッテリユニットが装着された際の故障やトラブル（発熱、発煙、発火、膨張、液漏れなど）を未然に回避し、デジタルカメラ１０の安全性を向上することが可能となる。
【００３４】
上記したように、本実施形態のデジタルカメラ１０であれば、バッテリユニットＢＡＴに埋設された磁石ＭＧから発せられる磁界を磁気センサ１６で検出し、その検出結果に基づいてバッテリユニットＢＡＴの識別を行うことができるので、管理用ＩＣを用いた従来構成に比べて、電気的な接点を要することなく、より簡易な構成でバッテリユニットＢＡＴを適切に識別することが可能となる。
【００３５】
なお、上記実施形態では、純正品であるか否かの識別が済んでいないバッテリユニットＢＡＴから一旦電力供給を受けて、バッテリユニットＢＡＴの識別動作を行った後、これが純正品でなかったときに所定の対抗措置を発動する構成を例に挙げて説明を行ったが、本発明の構成はこれに限定されるものではなく、デジタルカメラ１０の本体にバッテリユニットＢＡＴの識別動作を行うための予備電源（ボタン電池など）を別途用意しておき、バッテリユニットＢＡＴが純正品であることが確認されるまで、バッテリユニットＢＡＴからの電力供給を禁止する構成としても構わない。このような構成とすることにより、デジタルカメラ１０の安全性をより高めることが可能となる。
【００３６】
次に、デジタルカメラ１０の本体側に設けられる磁気センサ１６の種類について、詳細な説明を行う。磁気センサ１６としては、両極検出タイプの磁気センサ１６ａ（図４Ａを参照）、極性判別タイプの磁気センサ１６ｂ（図４Ｂを参照）、Ｓ極検出タイプの磁気センサ１６ｃ（図４Ｃを参照）、或いは、Ｎ極検出タイプの磁気センサ１６ｄ（図４Ｄを参照）のいずれかを用いることができる。
【００３７】
図４Ａは、磁気センサ１６ａの両極検出動作を示す模式図である。本図に示すように、両極検出タイプの磁気センサ１６ａは、Ｓ極とＮ極いずれの磁界も検出されないときには検出信号Ｓ１をハイレベルに維持する一方、Ｓ極とＮ極いずれかの磁界が検出されたときには、検出信号Ｓ１をハイレベルからローレベルに立ち下げる。このように、両極検出タイプの磁気センサ１６ａであれば、バッテリユニットＢＡＴに埋設される磁石ＭＧの極性に依らず、その有無のみを検出することができる。すなわち、磁気センサ１６ａを用いている場合には、磁石ＭＧの埋設に際して、その磁極方向を考慮せずに済むので、バッテリユニットＢＡＴの製造工程を簡略化することが可能となる。
【００３８】
図４Ｂは、磁気センサ１６ｂの極性判別動作を示す模式図である。本図に示すように、極性検出タイプの磁気センサ１６ｂは、Ｓ極とＮ極いずれの磁界も検出されないときには検出信号Ｓ１、Ｓ２をいずれもハイレベルに維持する。また、磁気センサ１６ｂは、Ｓ極の磁界が検出されたときには、検出信号Ｓ１をハイレベルからローレベルに立ち下げる一方、検出信号Ｓ２をハイレベルに維持する。また、磁気センサ１６ｂは、Ｎ極の磁界が検出されたときには、検出信号Ｓ２をハイレベルに維持する一方、検出信号Ｓ２をハイレベルからローレベルに立ち下げる。このように、極性判別タイプの磁気センサ１６ｂであれば、検出信号Ｓ１、Ｓ２の出力論理レベルの組合わせにより、磁石ＭＧの有無だけでなくその極性についても判別することができるので、バッテリユニットＢＡＴの識別情報をより多く得ることが可能となる。すなわち、磁気センサ１６ｂを用いることにより、デジタルカメラ１０の本体に装着されたバッテリユニットＢＡＴが純正品であるか否かを識別するだけでなく、バッテリユニットＢＡＴが純正品である場合には、その仕様（例えばリチウムイオン系であるかニッケル水素系であるか）についても識別することが可能となる。
【００３９】
図４Ｃは、磁気センサ１６ｃのＳ極検出動作を示す模式図であり、図４Ｄは、磁気センサ１６ｄのＮ極検出動作を示す模式図である。図４Ｃに示したように、Ｓ極検出タイプの磁気センサ１６ｃは、Ｓ極の磁界が検出されない限り、検出信号Ｓ１をハイレベルに維持し、Ｓ極の磁界が検出されたときには、検出信号Ｓ１をハイレベルからローレベルに立ち下げる。また、図４Ｄに示したように、Ｎ極検出タイプの磁気センサ１６ｄは、Ｎ極の磁界が検出されない限り、検出信号Ｓ１をハイレベルに維持し、Ｎ極の磁界が検出されたときには、検出信号Ｓ１をハイレベルからローレベルに立ち下げる。このように、単極検出タイプの磁気センサ１６ｃ、１６ｄであれば、純正品の判別をより簡便に実現することが可能となる。
【００４０】
なお、上記の説明では、検出信号Ｓ１、Ｓ２の初期値（磁界が検出されないときの論理レベル）をハイレベルとして説明を行ったが、本発明の構成はこれに限定されるものではなく、検出信号Ｓ１、Ｓ２の初期値をローレベルとしても構わない。
【００４１】
また、デジタルカメラ１０の本体にバッテリユニットＢＡＴの識別動作を行うための予備電源（ボタン電池など）が別途具備されており、バッテリユニットＢＡＴの装着作業中（すなわち、バッテリユニットＢＡＴから電力供給を受けることができない間）でも、磁気センサ１６や識別部１７への電力供給が可能である場合には、磁気センサ１６として、交番検出タイプの磁気センサ１６ｅ（図７、図８を参照）を用いることも可能である。これについては、後ほど詳細に説明する。
【００４２】
なお、バッテリユニットＢＡＴの仕様や規格をより高度に識別するためには、バッテリユニットＢＡＴに複数の磁石ＭＧを埋設しておくとともに、デジタルカメラ１０の本体側にも複数の磁気センサ１６を設けておき、識別部１７において、磁界が検出された磁気センサ１６の位置や個数、或いは、検出された磁界の極性、若しくは、これらの組合わせに基づいて、バッテリユニットＢＡＴの識別を行えばよい。
【００４３】
図５は、複数の磁石を備えたバッテリユニットの一例を示す模式図である。図５に示すように、バッテリユニットＢＡＴには、異なる部位に２つの磁石ＭＧｘ、ＭＧｙが埋設されており、デジタルカメラ１０の本体には、バッテリユニットＢＡＴがデジタルカメラ１０の本体に装着されたときに、磁石ＭＧｘ、ＭＧｙと対向する形で、磁気センサ１６ｘ、１６ｙが設けられている。なお、本構成例では、磁気センサ１６ｘ、１６ｙとして、それぞれ、極性判別タイプの磁気センサ（先出の図４Ｂを参照）が用いられている。そして、識別部１７は、磁気センサ１６ｘ、１６ｙから出力される検出信号Ｓｘ、Ｓｙの組合わせに基づいて、バッテリユニットＢＡＴの識別を行う。
【００４４】
図６は、検出信号Ｓｘ、Ｓｙと識別結果との関係を示す図である。本図に示すように、磁気センサ１６ｘ、１６ｙの双方で磁界が検出されない場合、識別部１７は、バッテリユニットＢＡＴが純正品でないと識別する。また、磁気センサ１６ｘでＮ極の磁界が検出され、磁気センサ１６ｙで磁界が検出されない場合、識別部１７は、バッテリユニットＢＡＴが純正品であり、その仕様がタイプ１（例えばリチウムイオン系の大容量タイプ）であると識別する。また、磁気センサ１６ｘでＳ極の磁界が検出され、磁気センサ１６ｙで磁界が検出されない場合、識別部１７は、バッテリユニットＢＡＴが純正品であり、その仕様がタイプ２（例えばリチウムイオン系の小容量タイプ）であると識別する。また、磁気センサ１６ｘで磁界が検出されず、磁気センサ１６ｙでＮ極の磁界が検出された場合、識別部１７は、バッテリユニットＢＡＴが純正品であり、その仕様がタイプ３（例えばニッケル水素系の大容量タイプ）であると識別する。また、磁気センサ１６ｘで磁界が検出されず、磁気センサ１６ｙでＳ極の磁界が検出された場合、識別部１７は、バッテリユニットＢＡＴが純正品であり、その仕様がタイプ４（例えばニッケル水素系の小容量タイプ）であると識別する。また、磁気センサ１６ｘ、１６ｙの双方でＮ極の磁界が検出された場合、識別部１７は、バッテリユニットＢＡＴが純正品であり、その仕様がタイプ５であると識別する。また、磁気センサ１６ｘでＮ極の磁界が検出され、磁気センサ１６ｙでＳ極の磁界が検出された場合、識別部１７は、バッテリユニットＢＡＴが純正品であり、その仕様がタイプ６であると識別する。また、磁気センサ１６ｘでＳ極の磁界が検出され、磁気センサ１６ｙでＮ極の磁界が検出された場合、識別部１７は、バッテリユニットＢＡＴが純正品であり、その仕様がタイプ７であると識別する。また、磁気センサ１６ｘ、１６ｙの双方でＳ極の磁界が検出された場合、識別部１７は、バッテリユニットＢＡＴが純正品であり、その仕様がタイプ８であると識別する。
【００４５】
上記したように、本実施形態のデジタルカメラ１０であれば、バッテリユニットＢＡＴに埋設される磁石ＭＧの位置や個数、磁界の極性を任意に組み合わせることにより、識別部１７で得られる識別結果の通り数を増やすことができるので、図６で例示したように、バッテリユニットＢＡＴを仕様毎に細かく識別することが可能となる。また、上記複数ある組合わせのうち、純正品であると識別される組合わせの数を絞ることによって、デジタルカメラ１０の安全性をより高めることも可能となる。
【００４６】
なお、バッテリユニットＢＡＴに設けられる磁石ＭＧの個数については、上記に限定されるものではなく、３つ以上の磁石ＭＧを設けても構わない。また、デジタルカメラ１０の本体側に設けられる複数の磁気センサ１６についても、その検出タイプを一律に選択する必要はなく、各々異なる検出タイプのものを用いても構わない。
【００４７】
また、先述したように、バッテリユニットＢＡＴの装着作業中でも、磁気センサ１６や識別部１７への電力供給が可能である場合には、交番検出タイプの磁気センサ１６ｅを用いることができる。このとき、磁気センサ１６ｅは、図７に示すように、バッテリユニットＢＡＴの装着完了位置ではなく、装着経路上の任意の位置に設けておけばよい。また、バッテリユニットＢＡＴには、デジタルカメラ１０の本体に装着するときに、磁気センサ１６ｅに順次対向する形で、複数の磁石ＭＧｚを配列しておけばよい。
【００４８】
図８は、磁気センサ１６ｅで得られる検出信号Ｓｅの一例を示す波形図である。本図に示すように、交番検出タイプの磁気センサ１６ｅで得られる検出信号Ｓｅは、順次検出される磁界の極性（磁束密度）に応じたパルス波形となる。従って、識別部１７では、検出信号Ｓｅの論理レベルを順次監視することにより、バッテリユニットＢＡＴを仕様毎に細かく識別したり、バッテリユニットＢＡＴが純正品であるか否かを厳しく認証することが可能となる。また、先述の図５で示した構成と異なり、交番検出タイプの磁気センサ１６ｅを１つだけ設ければ済むので、小型化や低消費電力化を図る上で有利である。
【００４９】
なお、上記の実施形態では、バッテリユニットの識別処理を行う構成を例に挙げて本発明の説明を行ったが、本発明の適用対象はこれに限定されるものではなく、その他の着脱ユニット（インクカートリッジやトナーカートリッジ、或いは、その他のオプションユニットなど）の識別処理を行う際にも、広く適用することが可能である。
【００５０】
また、本発明の構成は、上記実施形態のほか、発明の主旨を逸脱しない範囲で種々の変更を加えることが可能である。
【産業上の利用可能性】
【００５１】
本発明は、例えば、デジタルカメラのバッテリユニットやインクジェットプリンタのインクカートリッジが純正品であるか否かを識別する技術として利用可能である。
【図面の簡単な説明】
【００５２】
【図１】は、本発明に係るデジタルカメラの一実施形態を示すブロック図である。
【図２】は、バッテリユニットＢＡＴが着脱される様子を示した模式図である。
【図３】は、磁石ＭＧと磁気センサ１６との位置関係を示す模式図である。
【図４Ａ】は、磁気センサ１６ａの両極検出動作を示す模式図である。
【図４Ｂ】は、磁気センサ１６ｂの極性判別動作を示す模式図である。
【図４Ｃ】は、磁気センサ１６ｃのＳ極検出動作を示す模式図である。
【図４Ｄ】は、磁気センサ１６ｄのＮ極検出動作を示す模式図である。
【図５】は、複数の磁石ＭＧｘ、ＭＧｙを備えたバッテリユニットＢＡＴの一例を示す模式図である。
【図６】は、検出信号Ｓｘ、Ｓｙと識別結果との関係を示す図である。
【図７】は、交番検出タイプの磁気センサ１６ｅを用いた構成を示す模式図である。
【図８】は、検出信号Ｓｅの一例を示す波形図である。
【符号の説明】
【００５３】
１０    デジタルカメラ（電子機器）
１１    撮像部
１２    記憶部
１３    操作部
１４    表示部
１５    電源部
１６    磁気センサ
１６ａ    磁気センサ（両極検出タイプ）
１６ｂ、１６ｘ、１６ｙ    磁気センサ（極性判別タイプ）
１６ｃ    磁気センサ（Ｓ極検出タイプ）
１６ｄ    磁気センサ（Ｎ極検出タイプ）
１６ｅ    磁気センサ（交番検出タイプ）
１７    識別部
１８    制御部
ＢＡＴ    バッテリユニット（着脱ユニット）
ＭＧ、ＭＧｘ、ＭＧｙ、ＭＧｚ    磁石
【図１】
2010062969.tif 000003
【図２】
2010062969.tif 000004
【図３】
2010062969.tif 000005
【図４Ａ】
2010062969.tif 000006
【図４Ｂ】
2010062969.tif 000007
【図４Ｃ】
2010062969.tif 000008
【図４Ｄ】
2010062969.tif 000009
【図５】
2010062969.tif 000010
【図６】
2010062969.tif 000011
【図７】
2010062969.tif 000012
【図８】
2010062969.tif 000013